(57)【要約】【課題】簡素で安価な構成により糸の巻き始め端末または巻き終わり端末を確実に係止することのできるスプールが望まれている。【解決手段】スプール１は、糸巻き胴部２の両側にフランジ部３，４が形成され、釣糸などの糸端末を挟持する糸挟持溝１０が、少なくとも一方のフランジ部３の外周縁からスプール半径方向に切り欠かれているものであって、フランジ部３が、糸挟持溝１０の隣接部に、糸挟持溝１０に向かってフランジ部３の他の部分よりテーパ状に薄肉となる薄肉部１２を備えている。薄肉部１２はフランジ部３の内面側を切り欠いて形成されている。糸挟持溝１０からの糸を糸巻き胴部２に案内する糸案内面１３が、糸巻き胴部２と薄肉部１２との間のフランジ部３に当該内面側を切り欠いて形成されている。【選択図】図１
2009178051.tif 000002
【特許請求の範囲】
【請求項１】
糸巻き胴部の両側にフランジ部が形成され、糸端末を挟持する糸挟持溝が、少なくとも一方のフランジ部の外周縁からスプール半径方向に切り欠かれているスプールにおいて、
前記フランジ部が、前記糸挟持溝の隣接部に、糸挟持溝に向かってフランジ部の他の部分よりテーパ状に薄肉となる薄肉部を備えていることを特徴とするスプール。
【請求項２】
薄肉部は、フランジ部の内面側を切り欠いて形成されている請求項１に記載のスプール。
【請求項３】
糸挟持溝からの糸を糸巻き胴部に案内する糸案内面が、糸巻き胴部と薄肉部との間のフランジ部に当該内面側を切り欠いて形成されている請求項１または請求項２に記載のスプール。
【請求項４】
糸が釣糸である請求項１から請求項３のいずれか一項に記載のスプール。
【発明の詳細な説明】
【技術分野】
【０００１】
本発明は、糸の巻き始め端末や巻き終わり端末を係止する構成を備えたスプールに関するものである。
【背景技術】
【０００２】
ハリスなどの釣糸を巻き取るスプールとしては、例えば図１２に記載されたスプール５１が知られている。このスプール５１は、糸２０を巻回する糸巻き胴部２と、糸巻き胴部２の両側にそれぞれ形成された周鍔状のフランジ部とを備えている。そのうち、一方のフランジ部３には、糸２０の糸端末２０Ａを係止する糸挟持溝６０が、正面から見て略Ｖ字状に形成されている。糸２０は、糸挟持溝６０を形成する、フランジ部３の対向壁面６５，６６間で挟持されて、スプール５１の回転（矢印Ｒ方向）により巻き取られるようになっている。この場合、糸挟持溝６０からの糸２０は、ほぼ９０度に湾曲してフランジ部３の内壁面３Ａから距離ｄぶん離れた位置の糸巻き胴部２上に巻き取られる。
【０００３】
しかし、一般に、フッ素樹脂（例えばポリフッ化ビニリデン）やナイロンなどからなる釣糸などのモノフィラメントは弾発力が大きいので、糸２０を糸挟持溝６０にいったん挟持させたとしても、その後反発して糸挟持溝６０から外れることがあった。
そこで、この種のスプールとして、例えば下記の特許文献１，２に開示された釣糸用スプールが提案されている。
すなわち、特許文献１のスプールは、糸巻き胴部の両側にフランジ部が形成されたスプール本体を備え、スプール本体のフランジ部に弾性部材からなる糸係止部を設けたものである。糸係止部はフランジ部に一体に形成されるか、あるいはフランジ部の一部に形成された装着部にスプール本体とは別部品として取り付けられるようになっている。これらの糸係止部は、スプール軸心方向と平行に配置された１対の対向壁面により構成されるスリット状の糸挟持溝を有していて、この糸挟持溝で釣糸の巻き始め端末や巻き終わり端末を挟持するようになっている。
【０００４】
また、特許文献２のスプールも、糸巻き胴部の両側にフランジ部が形成されたスプール本体を備え、糸巻き胴部と両側のフランジ部との間に、糸挟持溝を有する弾性部材製の糸端部保持体を弾性変形嵌合させるようになっている。糸端部保持体の糸挟持溝は、スプール糸巻回転方向と平行に配置された１対の対向壁面によりスリット状に形成されている。このスプールでは、糸巻き胴部に巻かれた釣糸の巻き終わり端末を糸挟持溝に挟持させたのち、糸端部保持体を糸巻き胴部と両側のフランジ部との間に嵌合させて保持するようになっている。
【０００５】
しかしながら、上記特許文献１および、特許文献２のスプールは、糸の端部を確実に係止できるようにはなるものの、いずれも複数部品で構成されることから、複数の成型金型を必要とし、成型に係る工程も多くかかるという問題がある。
【０００６】
【特許文献１】特開２０００−３２８９５号公報
【特許文献２】登録実用新案第３０４４９００号公報
【発明の開示】
【発明が解決しようとする課題】
【０００７】
本発明は、上記した従来の問題点に鑑みてなされたものであって、簡素で安価な構成により糸の巻き始め端末または巻き終わり端末を確実に係止することのできるスプールの提供を目的とする。
【課題を解決するための手段】
【０００８】
上記目的を達成するために、本発明に係るスプールは、糸巻き胴部の両側にフランジ部が形成され、糸端末を挟持する糸挟持溝が、少なくとも一方のフランジ部の外周縁からスプール半径方向に切り欠かれているスプールにおいて、前記フランジ部が、前記糸挟持溝の隣接部に、糸挟持溝に向かってフランジ部の他の部分よりテーパ状に薄肉となる薄肉部を備えているものである。
【０００９】
また、前記構成において、薄肉部が、フランジ部の内面側を切り欠いて形成されているものである。
【００１０】
そして、前記の各構成において、糸挟持溝からの糸を糸巻き胴部に案内する糸案内面が、糸巻き胴部と薄肉部との間のフランジ部に当該内面側を切り欠いて形成されているものである。
【００１１】
更に、前記の各構成において、糸として釣糸を適用したものである。
【発明の効果】
【００１２】
本発明に係るスプールによれば、フランジ部の糸挟持溝隣接部が、糸挟持溝に向かって薄肉となるテーパ状の薄肉部として形成されているので、薄肉部の糸挟持溝近傍の先細部分は弾性的に撓みやすく、糸をその太さに応じて適切な力で弾性的に挟持して確実に係止することができる。加えて、この発明のスプールは一体に構成され得るので、合成樹脂などを原料として成型により得る場合でも、１つの金型で一度に成型できるとともに、成型工程が特許文献１，２に開示された技術に比べて少なくて済み、安価に提供することができる。
【００１３】
また、薄肉部がフランジ部の内面側を切り欠いて形成されているものでは、薄肉部の内面と糸巻き胴部との間に、糸挟持溝からの糸を収める空間が存在する。これにより、巻き始めの糸を、糸巻き胴部の上方位置に突出させることなく薄肉部の内面に沿わせて糸巻き胴部に案内することができる。
【００１４】
そして、糸挟持溝からの糸を糸巻き胴部に案内する糸案内面が、糸巻き胴部と薄肉部との間のフランジ部に当該内面側を切り欠いて形成されているものでは、巻き始め時に薄肉部の内面に沿って導かれた糸を、糸案内面が糸巻き胴部上における最もフランジ部側に確実に案内する。その結果、糸を整然と巻き付けることを容易に行なえ、商品価値の高い平行巻きを確実に行なうことができる。
【００１５】
一般に釣糸は元の姿勢に復元しようとする弾発力が高く止めにくいとされるが、このような釣糸を巻き取る場合であっても、薄肉部が臨む糸挟持溝により糸を確実に挟持することができる。
【発明を実施するための最良の形態】
【００１６】
本発明の最良の実施形態を図面に基づいて説明する。尚、以下に述べる実施形態は本発明を具体化した一例に過ぎず、本発明の技術的範囲を限定するものでない。図１は本発明の一実施形態に係るスプールの外観図、図２は前記スプールの要部拡大斜視図、図３は前記スプールの背面図、図４は図３におけるＡ−Ａ線矢視断面図である。尚、図１２に示した従来のスプール５１と共通の構成要素には同一の符号を付している。
【００１７】
各図において、この実施形態に係るスプール１は、ハリスなどの釣糸である糸２０（図６等参照）を巻き取る円筒状の糸巻き胴部２と、糸巻き胴部２のスプール軸心Ｃ方向の両端部に全周にわたって形成された周鍔状のフランジ部３，４と、フランジ部４側の糸巻き胴部２の開口を被って形成された円板部５と、円板部５の背面と糸巻き胴部２の内周面とを連結して形成された複数のリブ１１とを備えている。円板部５の中央部分には、スプール軸心Ｃと同軸の軸穴７と、回転駆動軸Ｄにスプール１を固定するキー（図外）が挿通されるキー溝６とが形成されている。また、フランジ部３には糸渡し用切欠部８が形成され、フランジ部４には糸渡し用切欠部９が形成されている。これらの糸渡し用切欠部８，９は、１つの回転駆動軸Ｄに複数のスプール１，１，１，・・・を並べて設置したときに、キー溝６の作用により互いに位置合わせされた隣合うスプール１，１間で糸２０を渡すために用いられる。このスプール１の素材および製法は特に限定されるものでないが、一例としてポリカーボネートなどを材料として金型で一体成形されている。
【００１８】
そして、フランジ部３には、糸２０の糸端末を係止する糸挟持溝１０が、フランジ部３の外周縁からスプール半径方向に切り欠かれている。正面から見て略Ｖ字状に形成された糸挟持溝１０の開口角度θは特に限定されるものでない。
【００１９】
そして、このスプール１では、フランジ部３の糸挟持溝１０の隣接部の一方が、糸挟持溝１０に向かって薄くなるテーパ状の薄肉部１２として形成されている。この場合、薄肉部１２はフランジ部３の内側が切り欠かれた態様に形成されている。すなわち、薄肉部１２の内壁面３Ｃは、平面視で、糸挟持溝１０から離れる方向で外壁面３Ｄ側から糸巻き胴部２へ徐々に近づくテーパ面に形成されている。また、糸挟持溝１０を成す対向壁面１５，１６のうち、糸渡し用切欠部８側の対向壁面１５はフランジ部３の厚さＴとほぼ同じ幅に形成されている。薄肉部１２側の対向壁面１６はフランジ部３の外壁面３Ｄと隣接した位置にある。
【００２０】
糸巻き胴部２と薄肉部１２との間のフランジ部３には、糸案内面１３がフランジ内面側を切り欠いた態様で形成されている。この糸案内面１３は、糸挟持溝１０の底部１７から離れる方向で糸巻き胴部２に近づくように傾斜している。これらの糸案内面１３および段部１４は、平面視で、糸挟持溝１０に近づく方向に広くなる略三角形状に形成されている。段部１４の上面と内壁面３Ｂとの境である縁部１４Ａは、糸２０を糸案内面１３に導きやすくするために、いくぶんＲを持たせた曲面として形成されている。
【００２１】
上記のように構成されたスプール１の作用を次に説明する。まず、図５に示すように、原料糸ロール（図外）から繰り出された糸２０の先端の糸端末２０Ａをフランジ部３，４間からフランジ部３の外壁面３Ｄ側に引き出して糸挟持溝１０に押し込む。すると、詳細は後述するが、糸２０の糸端末２０Ａは糸挟持溝１０の対向壁面１５，１６間にいとも簡単に挟持されて係止される。その状態で、回転駆動軸Ｄを駆動しスプール１を矢印Ｒ方向に回転させると、スプール１の回転により糸２０が引っ張られて原料糸ロールから引き出される。そして、糸２０は先細の対向壁面１６において９０度よりも小さな角度αで折れ曲がって矢印Ｒと反対方向に引かれる。この場合、薄肉部１２は対向壁面１６に近づくほど先細であり、しかも薄肉部１２がフランジ部３の内面側を切り欠いた態様で形成されていることにより、対向壁面１６が外壁面３Ｄ寄りに位置するので、薄肉部１２の内壁面３Ｃと糸巻き胴部２との間には、対向壁面１６で曲げられた糸２０を収める空間１８が存在する。また、薄肉部１２の内壁面３Ｃと対向壁面１５とのなす平面視の角度は９０度よりも小さい。そのために、弾発力の高い糸２０でありながら、対向壁面１６に接して折れ曲がることができ薄肉部１２の内壁面３Ｃに沿うので、糸巻き胴部２の上方位置に突出することがない。従って、図１２（ｂ）に示すように、糸２０が、フランジ部３の内壁面３Ａから隙間ｄをあけて突出することがなく、糸の巻回時にこの糸２０が干渉しないので、糸の巻回を容易、かつ、精度よく行なうことができる。
【００２２】
また、薄肉部１２は糸挟持溝１０に最も近い部分が最薄になっているので、他の部分よりも弾性的に撓みやすく、糸２０をその太さに応じた適切な力で弾性的に挟持することができる。これらの作用と、上記のように糸２０が薄肉部１２の対向壁面１６に接して折れ曲がる作用とを合わせた複合作用により、糸２０の糸端末２０Ａは糸挟持溝１０で粘り強くしっかりと挟持されて巻き始め動作時にも外れない。
【００２３】
そうして、薄肉部１２の内壁面３Ｃに沿って引かれた糸２０は、段部１４の縁部１４Ａで斜め下向きに折れ曲がって糸案内面１３上に載り、更に内壁面３Ｂに沿って案内され、内壁面３Ａと密着する位置（図５、図６、図７中の符号２０（１）で示す位置）の糸巻き胴部２上、言い換えれば、糸巻き胴部２上における最もフランジ部３側となる位置に案内される。すなわち、糸２０が一般に弾発力が高いとされる釣糸でありながら、従来技術のようにフランジ部３の内壁面３Ａから離れることなく、内壁面３Ｃおよび内壁面３Ｂに沿って引かれるのである。このようにして、糸２０は、図６に示すように、糸巻き胴部２上に整然と並んで巻かれていく。
【００２４】
更に、糸２０は、図７に示すように、糸巻き胴部２上に例えばｎ回巻かれてフランジ部４の内壁面に密接したのち、ｎ回目の糸２０の真上に（ｎ＋１）回目の糸２０が重ねて巻かれ、矢印Ｗで示すように、既に巻かれた１層目の糸２０，２０，２０・・・の真上に重ねて巻かれながらフランジ部３に向かうのである。すなわち、このスプール１によれば、糸２０を確実に、かつ、精度よく平行巻きすることができる。このように平行巻きされた糸２０終端の糸端末２０Ｂは、バンドなどの適宜の手段を用いて最上層の糸２０上に留められる。あるいは、複数のスプール１を並列して用いる場合、フランジ部４の糸渡し用切欠部９から、隣に配置された別のスプール１の糸渡し用切欠部８に渡される。
【００２５】
ここで、上記とは別の巻き方で糸２０をスプール１に巻きつける態様を示す。図８に示すように、糸２０先端の糸端末２０Ａを粘着テープ２１などで糸巻き胴部２に固定し、スプール１を矢印Ｒ方向に回転させて糸２０を巻き取ったのち、巻き終わりの糸端末２０Ｂを糸巻き方向から矢印Ｆのように９０度に折り曲げて糸挟持溝１０の対向壁面１５，１６間に挟持させても、糸端末２０Ｂはしっかりと係止される。
【００２６】
一方、図９に示すように、巻き始めの２０Ａが円板部５に粘着テープ２１などで固定された糸２０を糸渡し用切欠部９から糸巻き胴部２に導き、スプール１をこれまでの例とは逆の方向（図９中の矢印−Ｒ方向）に回転させて糸２０を巻き取る例を示す。この場合、糸２０の巻き終わりの糸端末２０Ｂは糸案内面１３の上面および薄肉部１２の内壁面３Ｃに沿ったのち、対向壁面１６で折り曲げられて糸挟持溝１０に挟持される。すると、巻き終わりの糸端末２０Ｂは堅く係止されて外れなかった。
これらの例から明らかなように、フランジ部３の糸挟持溝１０の隣接部に薄肉部１２を形成したことにより、糸挟持溝１０から薄肉部１２の内側を経て糸巻き胴部２上へと、または、糸巻き胴部２上から薄肉部１２の内側を経て糸挟持溝１０へと、あるいは、対向壁面１５側からの糸２０をほぼ９０度に曲げて糸挟持溝１０へと、糸２０を案内しても、糸２０の巻き始め端末または巻き終わり端末を糸挟持溝１０に確実に係止することができる。
【００２７】
尚、上記の実施形態では、フランジ部３の糸挟持溝１０の隣接部の一方にのみ薄肉部１２を設けた例を示したが、本発明はそれに限定されるものでなく、例えば図１０に示すようなスプール１ａも含む。このスプール１ａは、フランジ部３の糸挟持溝１０ａの隣接部の一方に形成された薄肉部１２、段部１４および糸案内面１３はもとより、フランジ部３の糸挟持溝１０ａの隣接部の他方に形成された薄肉部１２ａ、段部１４ａおよび糸案内面１３ａも備えている。これらの薄肉部１２ａ、段部１４ａおよび糸案内面１３ａは、前記した薄肉部１２、段部１４および糸案内面１３に対し糸挟持溝１０ａを境に例えば対称形状に形成されている。薄肉部１２ａも糸挟持溝１０ａに近づく方向に徐々に薄肉となるように形成されており、糸挟持溝１０ａを臨む対向壁面１６ａの近傍部分は最も薄く形成されている。この図１０において、符号の３Ｂａは薄肉部１２側の内壁面３Ｂと対称形状に形成された内壁面であり、３Ｃａは薄肉部１２の内壁面３Ｃと対称形状に形成された薄肉部１２ａの内壁面である。
このスプール１ａによれば、糸巻き時のスプール糸巻回転方向が矢印Ｒ方向、または矢印Ｒと反対方向のいずれであっても、糸２０を糸挟持溝１０ａに確実に係止することができ、かつ、糸２０を糸巻き胴部２上に確実に、かつ、精度よく平行巻きすることができる。
【００２８】
また、上記の各実施形態では、フランジ部３の内面側を切り欠いて形成した態様の薄肉部１２，１２ａを設けた例を示したが、本発明はそれに限定されるものでなく、例えば図１１に示すようなスプール１ｂも含んでいる。このスプール１ｂにおいて、薄肉部１２ｂはフランジ部３の外面側を切り欠いた態様で形成されている。糸挟持溝１０ｂは薄肉部１２ｂの対向壁面１６ｂと対向壁面１５とにより形成される。薄肉部１２ｂの外壁面３Ｄｂは糸挟持溝１０ｂから離れるほど厚肉になるテーパ面として形成されている。
このようなスプール１ｂも、糸挟持溝１０ｂの対向壁面１５と対向壁面１６ｂとの間に糸２０をしっかりと挟持することができる。
【００２９】
そして、上記した各々の実施形態では、一方のフランジ部３にのみ糸挟持溝および薄肉部を形成した例を示したが、両側のフランジ部３，４に糸挟持溝および薄肉部を形成しても構わない。
更に、糸案内面を形成することなく、フランジ部にテーパ状の薄肉部を形成した構成だけでも、巻き始めまたは巻き終わり時に糸の糸端末を糸挟持溝で確実に係止できることは言うまでもない。
また、上記各実施形態では、スプールに巻き取られる糸として、ハリスなどの釣糸を例示したが、本発明はそれに限定されるものでなく、天然繊維や合成繊維から成る汎用の糸に用いることも可能である。例えば、合成繊維糸として、マルチフィラメントからなる糸を用いてもよい。
【図面の簡単な説明】
【００３０】
【図１】本発明の一実施形態に係るスプールの外観図である。
【図２】前記スプールの要部拡大斜視図である。
【図３】前記スプールの背面図である。
【図４】図３におけるＡ−Ａ線矢視断面図である。
【図５】前記スプールにより糸を巻き始める態様を示す図であって、（ａ）は一部断面を含む部分正面図、（ｂ）は部分平面図である。
【図６】前記スプールにより糸を巻いている態様を示す平面図である。
【図７】前記スプールにより糸を巻いている態様を示す部分側断面図である。
【図８】前記スプールの参考的な使用態様を示す図であって、（ａ）は一部断面を含む部分正面図、（ｂ）は部分平面図である。
【図９】前記スプールにより逆向きに巻いた糸の糸端末を止める別の態様を示す外観図である。
【図１０】本発明の別の実施形態に係るスプールを示す図であって、（ａ）は一部断面を含む部分正面図、（ｂ）は部分平面図である。
【図１１】本発明の更に別の実施形態に係るスプールを示す図であって、（ａ）は一部断面を含む部分正面図、（ｂ）は部分平面図である。
【図１２】従来のスプールにより糸を巻き始める態様を示す図であって、（ａ）は一部断面を含む部分正面図、（ｂ）は部分平面図である。
【符号の説明】
【００３１】
１，１ａ，１ｂ  スプール
２    糸巻き胴部
３，４  フランジ部
３Ａ，３Ｂ，３Ｂａ  内壁面
３Ｄ，３Ｄｂ  外壁面
１０，１０ａ，１０ｂ  糸挟持溝
１２，１２ａ，１２ｂ  薄肉部
１３，１３ａ  糸案内面
１６，１６ａ，１６ｂ  対向壁面
２０  糸
２０Ａ  糸端末
２０Ｂ  糸端末
Ｃ    スプール軸心
Ｒ    矢印
【図１】
2009178051.tif 000003
【図２】
2009178051.tif 000004
【図３】
2009178051.tif 000005
【図４】
2009178051.tif 000006
【図５】
2009178051.tif 000007
【図６】
2009178051.tif 000008
【図７】
2009178051.tif 000009
【図８】
2009178051.tif 000010
【図９】
2009178051.tif 000011
【図１０】
2009178051.tif 000012
【図１１】
2009178051.tif 000013
【図１２】
2009178051.tif 000014